(57)【要約】【課題】この発明は、入力映像信号を出力画素に合わせた解像度に変換するスケーリング処理を利用して、表示映像の鮮鋭度が高い映像信号を生成することを可能とした映像信号処理装置及び映像信号処理方法を提供することを目的としている。【解決手段】受信映像信号に１次微分処理を施す回路３６ｃと、１次微分処理された映像信号にレベル調整を行なう回路３６ｄと、受信映像信号から出力映像信号を得るためのスケーリング係数に基づいて、出力画素位置を示す画素位置信号を生成する回路３６ｇと、生成された画素位置信号に回路３６ｄの出力信号を加算して、補正された画素位置信号を得る回路３６ｅと、補正された画素位置信号に基づいて、受信映像信号にスケーリング演算処理を施しスケーリング映像信号を得る回路３６ｂとを備える。【選択図】    図６
2006019963.tif 000002
【特許請求の範囲】
【請求項１】
放送信号を受信する受信手段と、
前記受信手段で受信された放送信号から映像信号を復元する処理手段と、
前記処理手段で復元された映像信号に１次微分処理を施す１次微分手段と、
前記１次微分手段で１次微分処理の施された映像信号にレベル調整を行なうレベル調整手段と、
前記処理手段で復元された映像信号から出力すべき映像信号を得るためのスケーリング係数を算出する算出手段と、
前記算出手段で算出されたスケーリング係数に基づいて出力すべき画素位置を示す画素位置信号を生成する生成手段と、
前記生成手段で生成された画素位置信号に前記レベル調整手段の出力信号を加算して、補正された画素位置信号を得る加算手段と、
前記加算手段から出力される補正された画素位置信号に基づいて、前記処理手段で復元された映像信号にスケーリング演算処理を施しスケーリング映像信号を得る演算手段と、
前記演算手段で得られたスケーリング映像信号に基づいて映像表示を行なう映像表示手段とを具備することを特徴とする映像信号処理装置。
【請求項２】
放送信号を受信する受信手段と、
前記受信手段で受信された放送信号から映像信号を復元する処理手段と、
前記処理手段で復元された映像信号に１次微分処理を施す１次微分手段と、
前記１次微分手段で１次微分処理の施された映像信号にレベル調整を行なうレベル調整手段と、
前記処理手段で復元された映像信号から出力すべき映像信号を得るためのスケーリング係数を算出する算出手段と、
前記算出手段で算出されたスケーリング係数に基づいて出力すべき画素位置を示す画素位置信号を生成する生成手段と、
前記生成手段で生成された画素位置信号に前記レベル調整手段の出力信号を加算して、補正された画素位置信号を得る加算手段と、
前記加算手段から出力される補正された画素位置信号に基づいて、前記処理手段で復元された映像信号にスケーリング演算処理を施しスケーリング映像信号を得る演算手段と、
前記演算手段で得られたスケーリング映像信号を出力する出力手段とを具備することを特徴とする映像信号処理装置。
【請求項３】
映像信号を受信する受信手段と、
前記受信手段で受信された映像信号に１次微分処理を施す１次微分手段と、
前記１次微分手段で１次微分処理の施された映像信号にレベル調整を行なうレベル調整手段と、
前記受信手段で受信された映像信号から出力すべき映像信号を得るためのスケーリング係数を算出する算出手段と、
前記算出手段で算出されたスケーリング係数に基づいて出力すべき画素位置を示す画素位置信号を生成する生成手段と、
前記生成手段で生成された画素位置信号に前記レベル調整手段の出力信号を加算して、補正された画素位置信号を得る加算手段と、
前記加算手段から出力される補正された画素位置信号に基づいて、前記受信手段で受信された映像信号にスケーリング演算処理を施しスケーリング映像信号を得る演算手段と、
前記演算手段で得られたスケーリング映像信号に基づいて映像表示を行なう映像表示手段とを具備することを特徴とする映像信号処理装置。
【請求項４】
映像信号を受信する受信手段と、
前記受信手段で受信された映像信号に１次微分処理を施す１次微分手段と、
前記１次微分手段で１次微分処理の施された映像信号にレベル調整を行なうレベル調整手段と、
前記受信手段で受信された映像信号から出力すべき映像信号を得るためのスケーリング係数に基づいて、出力すべき画素位置を示す画素位置信号を生成する生成手段と、
前記生成手段で生成された画素位置信号に前記レベル調整手段の出力信号を加算して、補正された画素位置信号を得る加算手段と、
前記加算手段から出力される補正された画素位置信号に基づいて、前記受信手段で受信された映像信号にスケーリング演算処理を施しスケーリング映像信号を得る演算手段とを具備することを特徴とする映像信号処理装置。
【請求項５】
前記演算手段は、
前記補正された画素位置信号に基づき、前記映像信号が低レベルに変化する変化点で、前記映像信号から本来の画素出力位置よりも時間的に後になる位置で画素を生成し、その生成された画素を本来の画素出力位置から出力する手段と、
前記補正された画素位置信号に基づき、前記映像信号が高レベルに変化する変化点で、前記映像信号から本来の画素出力位置よりも時間的に前になる位置で画素を生成し、その生成された画素を本来の画素出力位置から出力する手段とを具備することを特徴とする請求項１乃至４いずれかに記載の映像信号処理装置。
【請求項６】
前記１次微分手段で１次微分処理の施された映像信号に、さらに１次微分処理を施して２次微分信号を生成する第２の１次微分手段と、
前記第２の１次微分手段から出力される２次微分信号にレベル調整を行なう第２のレベル調整手段とを備え、
前記演算手段は、前記第２のレベル調整手段の出力信号に基づいて、前記映像信号のレベル変化点におけるエッジを強調したスケーリング映像信号を得ることを特徴とする請求項５記載の映像信号処理装置。
【請求項７】
放送信号を受信する第１の工程と、
受信された放送信号から映像信号を復元する第２の工程と、
復元された映像信号に１次微分処理を施す第３の工程と、
１次微分処理の施された映像信号にレベル調整を行なう第４の工程と、
前記第２の工程で復元された映像信号から出力すべき映像信号を得るためのスケーリング係数を算出する第５の工程と、
算出されたスケーリング係数に基づいて出力すべき画素位置を示す画素位置信号を生成する第６の工程と、
生成された画素位置信号に前記第４の工程による出力信号を加算して、補正された画素位置信号を得る第７の工程と、
補正された画素位置信号に基づいて、前記第２の工程で復元された映像信号にスケーリング演算処理を施しスケーリング映像信号を得る第８の工程と、
得られたスケーリング映像信号に基づいて映像表示を行なう第９の工程とを具備することを特徴とする映像信号処理方法。
【請求項８】
放送信号を受信する第１の工程と、
受信された放送信号から映像信号を復元する第２の工程と、
復元された映像信号に１次微分処理を施す第３の工程と、
１次微分処理の施された映像信号にレベル調整を行なう第４の工程と、
前記第２の工程で復元された映像信号から出力すべき映像信号を得るためのスケーリング係数を算出する第５の工程と、
算出されたスケーリング係数に基づいて出力すべき画素位置を示す画素位置信号を生成する第６の工程と、
生成された画素位置信号に前記第４の工程による出力信号を加算して、補正された画素位置信号を得る第７の工程と、
補正された画素位置信号に基づいて、前記第２の工程で復元された映像信号にスケーリング演算処理を施しスケーリング映像信号を得る第８の工程と、
得られたスケーリング映像信号を出力する第９の工程とを具備することを特徴とする映像信号処理方法。
【請求項９】
映像信号を受信する第１の工程と、
受信された映像信号に１次微分処理を施す第２の工程と、
１次微分処理の施された映像信号にレベル調整を行なう第３の工程と、
前記第１の工程で受信された映像信号から出力すべき映像信号を得るためのスケーリング係数を算出する第４の工程と、
算出されたスケーリング係数に基づいて出力すべき画素位置を示す画素位置信号を生成する第５の工程と、
生成された画素位置信号に前記第３の工程による出力信号を加算して、補正された画素位置信号を得る第６の工程と、
補正された画素位置信号に基づいて、前記第１の工程で受信された映像信号にスケーリング演算処理を施しスケーリング映像信号を得る第７の工程と、
得られたスケーリング映像信号に基づいて映像表示を行なう第８の工程とを具備することを特徴とする映像信号処理方法。
【請求項１０】
映像信号を受信する第１の工程と、
受信された映像信号に１次微分処理を施す第２の工程と、
１次微分処理の施された映像信号にレベル調整を行なう第３の工程と、
前記第１の工程で受信された映像信号から出力すべき映像信号を得るためのスケーリング係数に基づいて、出力すべき画素位置を示す画素位置信号を生成する第４の工程と、
生成された画素位置信号に前記第３の工程による出力信号を加算して、補正された画素位置信号を得る第５の工程と、
補正された画素位置信号に基づいて、前記第１の工程で受信された映像信号にスケーリング演算処理を施しスケーリング映像信号を得る第６の工程とを具備することを特徴とする映像信号処理方法。
【請求項１１】
前記補正された画素位置信号に基づいて映像信号にスケーリング演算処理を施しスケーリング映像信号を得る工程は、
前記補正された画素位置信号に基づき、前記映像信号が低レベルに変化する変化点で、前記映像信号から本来の画素出力位置よりも時間的に後になる位置で画素を生成し、その生成された画素を本来の画素出力位置から出力する工程と、
前記補正された画素位置信号に基づき、前記映像信号が高レベルに変化する変化点で、前記映像信号から本来の画素出力位置よりも時間的に前になる位置で画素を生成し、その生成された画素を本来の画素出力位置から出力する工程とを具備することを特徴とする請求項７乃至１０いずれかに記載の映像信号処理方法。
【請求項１２】
前記１次微分処理の施された映像信号に、さらに１次微分処理を施して２次微分信号を生成する工程と、
前記２次微分信号にレベル調整を行なう工程とを備え、
前記補正された画素位置信号に基づいて映像信号にスケーリング演算処理を施しスケーリング映像信号を得る工程は、前記レベル調整された２次微分信号に基づいて、前記映像信号のレベル変化点におけるエッジを強調したスケーリング映像信号を得ることを特徴とする請求項１１記載の映像信号処理方法。
【発明の詳細な説明】
【技術分野】
【０００１】
この発明は、例えば平面パネル型ディスプレイ等に映像信号を表示させるための映像信号処理装置及び映像信号処理方法に係り、特にその入力映像信号を表示パネルの画素に合わせた解像度に変換するスケーリング機能を改良したものに関する。
【背景技術】
【０００２】
周知のように、ＣＲＴ（Cathode Ray Tube）で映像表示を行なう場合には、電子ビームの走査速度を映像信号に応じて変化させる、いわゆる走査速度変調を行なうことにより、表示映像の鮮鋭度を高めることが可能である。
【０００３】
一方、近年では、例えば液晶表示パネルやプラズマ表示パネル等を用いた平面パネル型ディスプレイが普及している。また、この種の平面パネル型ディスプレイとしては、映像投射型の、いわゆる、プロジェクタも普及する傾向にある。
【０００４】
そして、このような平面パネル型ディスプレイにあっては、電子ビームを走査する構成が存在しないため、上記した走査速度変調技術を使用することができず、専ら輪郭補正処理により表示映像の鮮鋭度を高めることが行なわれている。
【０００５】
特許文献１には、入力映像信号から輪郭の方向を示す１次微分信号と、輪郭の強度を示す２次微分信号とを生成し、これら１次微分信号と２次微分信号とを合成した信号で、入力映像信号の輪郭を補正する技術が開示されている。
【特許文献１】特開２００３−２５９１５５号公報
【発明の開示】
【発明が解決しようとする課題】
【０００６】
そこで、この発明は上記事情を考慮してなされたもので、入力映像信号を出力画素に合わせた解像度に変換するスケーリング処理を利用して、表示映像の鮮鋭度が高い映像信号を生成することを可能とした映像信号処理装置及び映像信号処理方法を提供することを目的とする。
【課題を解決するための手段】
【０００７】
この発明に係る映像信号処理装置は、映像信号を受信する受信手段と、受信手段で受信された映像信号に１次微分処理を施す１次微分手段と、１次微分手段で１次微分処理の施された映像信号にレベル調整を行なうレベル調整手段と、受信手段で受信された映像信号から出力すべき映像信号を得るためのスケーリング係数に基づいて、出力すべき画素位置を示す画素位置信号を生成する生成手段と、生成手段で生成された画素位置信号にレベル調整手段の出力信号を加算して、補正された画素位置信号を得る加算手段と、加算手段から出力される補正された画素位置信号に基づいて、受信手段で受信された映像信号にスケーリング演算処理を施しスケーリング映像信号を得る演算手段とを備えるようにしたものである。
【０００８】
また、この発明に係る映像信号処理方法は、映像信号を受信する第１の工程と、受信された映像信号に１次微分処理を施す第２の工程と、１次微分処理の施された映像信号にレベル調整を行なう第３の工程と、第１の工程で受信された映像信号から出力すべき映像信号を得るためのスケーリング係数に基づいて、出力すべき画素位置を示す画素位置信号を生成する第４の工程と、生成された画素位置信号に第３の工程による出力信号を加算して、補正された画素位置信号を得る第５の工程と、補正された画素位置信号に基づいて、第１の工程で受信された映像信号にスケーリング演算処理を施しスケーリング映像信号を得る第６の工程とを備えるようにしたものである。
【発明の効果】
【０００９】
上記した発明によれば、補正された画素位置信号を用いることにより、映像信号が低レベルに変化する変化点では、映像信号から本来の画素出力位置よりも時間的に後になる位置で画素を生成し、その生成された画素を本来の画素出力位置から出力し、映像信号が高レベルに変化する変化点では、映像信号から本来の画素出力位置よりも時間的に前になる位置で画素を生成し、その生成された画素を本来の画素出力位置から出力することが可能となる。これにより、入力映像信号を出力画素に合わせた解像度に変換するスケーリング処理を利用して、表示映像の鮮鋭度が高い映像信号を生成することができる。
【発明を実施するための最良の形態】
【００１０】
以下、この発明の実施の形態について図面を参照して詳細に説明する。すなわち、図１及び図２は、この実施の形態で説明する平面パネル型のテレビジョン受信装置１１を、正面及び側面から見た状態をそれぞれ示している。
【００１１】
このテレビジョン受信装置１１は、主として、キャビネット１２と、このキャビネット１２を支持する支持台１３とから構成されている。このうち、キャビネット１２には、その正面中央部に後述する映像表示器１４の表示パネル１４ａが配置されている。
【００１２】
また、このキャビネット１２には、その表示パネル１４ａの両側に、電源スイッチ１５と、図示しないワイヤレスリモートコントローラから送出された操作情報を受信するための受信部１６とが配置されている。さらに、上記キャビネット１２には、その背面側に、後述する信号処理系を収納した収納部１２ａが設けられている。
【００１３】
一方、上記支持台１３は、キャビネット１２の背面中央部に回動自在に連結されるもので、所定の基台１７の水平面上に載置された状態で、キャビネット１２を起立させて支持するように構成されている。
【００１４】
図３は、上記テレビジョン受信装置１１の信号処理系を示している。すなわち、アンテナ１８で受信したテレビジョン放送信号は、入力端子１９を介した後、チューナ部２０に供給されて所定のチャンネルの放送信号が選局される。
【００１５】
そして、チューナ部２０から出力された放送信号は、周波数変換部２１に供給されて中間周波数信号に変換された後、デジタル信号処理部２２によりデジタルの映像信号に復元され、セレクタ２３に供給される。
【００１６】
一方、このテレビジョン受信装置１１は、外部の任意のソースからコンポーネント形式またはＲＧＢ形式で発生される映像信号を、入力端子２４を介して受信する。この入力端子２４に供給された映像信号は、Ａ／Ｄ（Analog／Digital）変換部２５に供給されてデジタル化された後、上記セレクタ２３に供給される。
【００１７】
このセレクタ２３は、入力される２種類の映像信号を選択的にスケーリング部２６に導出している。このスケーリング部２６は、入力された映像信号に対して、その画素数を前記映像表示部１４の表示パネル１４ａの画素数に合わせるスケーリング処理を施し、映像処理部２７に出力している。
【００１８】
この映像処理部２７は、入力された映像信号に対して前記映像表示器１４で映像表示させるための各種信号処理を施している。そして、この映像処理部２７から出力された映像信号は、ドライバ２８を介して映像表示器１４に供給されて映像表示される。
【００１９】
ここで、このテレビジョン受信装置１１は、上記した各種の受信動作を含むその全ての動作を制御部２９によって統括的に制御されている。この制御部２９は、ＣＰＵ（Central Processing Unit）等を内蔵しており、前記電源スイッチ１５を含む操作部３０からの操作情報を受け、または、リモートコントローラ３１から送出された操作情報を前記受信部１６を介して受信し、その操作内容が反映されるように各部をそれぞれ制御している。
【００２０】
この場合、制御部２９は、メモリ部３２を利用している。すなわち、このメモリ部３２は、主として、制御部２９のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２１】
図４は、上記テレビジョン受信装置１１を背面から見た状態を示している。そして、キャビネット１２の収納部１２ａには、その中央部にドライバ２８及びスケーリング部２６が配置され、その図中右側に電源部３３が配置され、その図中左側にその他の部分を含むブロック部３４が配置されている。
【００２２】
図５は、上記スケーリング部２６の詳細を示している。すなわち、前記セレクタ２３から出力された映像信号は、入力端子３５を介した後、水平スケーリング部３６に供給される。
【００２３】
この水平スケーリング部３６は、入力された映像信号の水平成分に対して、制御端子３８を介して供給される前記制御部２９からのスケーリング係数に基づいたスケーリング処理を施し、垂直スケーリング部３７に出力している。
【００２４】
この垂直スケーリング部３７は、入力された映像信号の垂直成分に対して、制御端子３８を介して供給される前記制御部２９からのスケーリング係数に基づいたスケーリング処理を施している。
【００２５】
そして、水平スケーリング部３６及び垂直スケーリング部３７により、水平及び垂直方向にそれぞれスケーリング処理が施された映像信号が生成され、出力端子４０を介して前記映像処理部２７に出力される。
【００２６】
図６は、上記水平スケーリング部３６の詳細を示している。すなわち、入力端子３６ａに供給された映像信号は、スケーリング演算処理回路３６ｂ及び１次微分回路３６ｃにそれぞれ供給される。
【００２７】
このうち、１次微分回路３６ｃは、入力された映像信号の水平成分に対して、１次微分処理を施している。これにより、１次微分回路３６ｃからは、映像信号の水平成分にレベル変化があった場合に、その変化点と変化の方向とを示す１次微分信号が発生される。
【００２８】
そして、この１次微分回路３６ｃから出力された１次微分信号は、レベル調整回路３６ｄに供給されて各画素位置における変調レベルがそれぞれ調整された後、加算回路３６ｅに出力される。
【００２９】
一方、前記制御部２９から出力されるスケーリング係数は、制御端子３６ｆに供給される。このスケーリング係数は、映像信号を圧縮または伸張する比率を示しており、スケーリング画素位置発生回路３６ｇに供給される。
【００３０】
このスケーリング画素位置発生回路３６ｇは、入力されたスケーリング係数に基づいて水平方向の出力画素位置を算出し、その出力画素位置を示す水平画素位置信号を生成して上記加算回路３６ｅに出力している。
【００３１】
そして、この加算回路３６ｅにより、スケーリング画素位置発生回路３６ｇからの水平画素位置信号に、レベル調整回路３６ｄからの１次微分信号の各画素位置における変調レベルがそれぞれ調整された信号が加算されることにより、補正された水平画素位置信号が生成されて、スケーリング演算制御回路３６ｈに供給される。
【００３２】
このスケーリング演算制御回路３６ｈは、補正された水平画素位置信号に基づいてスケーリング演算制御信号を生成し、スケーリング演算処理回路３６ｂに出力している。そして、このスケーリング演算処理回路３６ｂが、入力された映像信号に対して、補正された水平画素位置信号に基づいてスケーリング演算処理を施すことにより、水平成分に対してスケーリング処理が施された映像信号が生成され、出力端子３６ｉから取り出される。
【００３３】
次に、上記した水平スケーリング部３６の動作について具体的に説明する。まず、図７は、スケーリング画素位置発生回路３６ｇから出力された水平画素位置信号に、レベル調整回路３６ｄからの出力信号を加算しないで、つまり、スケーリング画素位置発生回路３６ｇから出力された水平画素位置信号を補正しないで、そのままスケーリング演算制御回路３６ｈに供給した場合の動作を示している。
【００３４】
図７において、（ａ）は入力端子３６ａに供給される映像信号を示し、（ｂ）はスケーリング演算処理回路３６ｂから出力されるスケーリング映像信号を示し、スケーリング係数は３／４（＝０．７５）となっている。また、図７において、縦の点線はサンプリング位置を示し、黒丸の点は映像信号のサンプル値を示している。
【００３５】
この場合には、水平画素位置信号は、そのサンプリング間隔が０．７５に固定されている。このため、スケーリング演算処理回路３６ｂは、入力映像信号から、水平画素位置が０，０．７５，１．５，２．２５，……，１８の位置にサンプル値を有するスケーリング映像信号を生成することになる。
【００３６】
つまり、サンプリング間隔が１の位置に画素を有する入力映像信号から、サンプリング間隔が０．７５の位置に画素を生成してその位置に出力することにより、入力映像信号の画素数を水平方向に４／３倍に伸張した画素数を有するスケーリング映像信号が生成されることになる。
【００３７】
図８は、スケーリング画素位置発生回路３６ｇから出力された水平画素位置信号に、レベル調整回路３６ｄからの出力信号を加算した、つまり、補正された水平画素位置信号をスケーリング演算制御回路３６ｈに供給した場合の動作を示している。
【００３８】
図８において、（ａ）は１次微分回路３６ｃから出力される１次微分信号を示し、（ｂ）は入力端子３６ａに供給される映像信号を示し、（ｃ）はスケーリング演算処理回路３６ｂから出力されるスケーリング映像信号を示し、スケーリング係数は３／４（＝０．７５）となっている。
【００３９】
この場合、１次微分信号は、入力映像信号が高レベルから低レベルに変化する変化点で正極性を有し、入力映像信号が低レベルから高レベルに変化する変化点で負極性を有する信号である。
【００４０】
そして、入力映像信号にレベル変化がない状態、つまり、１次微分信号が０レベルの状態では、加算回路３６ｅから出力される水平画素位置信号は、スケーリング画素位置発生回路３６ｇから出力された信号と同じであるので、図７で説明したように、サンプリング間隔が１の入力映像信号から、サンプリング間隔が０．７５の位置に画素を生成してその位置に出力したスケーリング映像信号が生成される。
【００４１】
これに対し、１次微分信号が正極性になっている期間では、加算回路３６ｅから出力される水平画素位置信号は、サンプリング間隔が本来のサンプリング間隔である０．７５よりも一部広くなるように補正されている。
【００４２】
このため、図８（ｃ）に示すように、水平画素位置が３．２５，４．２５，５．２５，６．２５，６．５，７の各位置で、入力映像信号から画素をそれぞれ生成し、生成された各画素を本来の出力位置である３，３．７５，４．５，５．２５，６，６．７５［図８（ｃ）の４，５，６，７，８，９］の位置に出力したスケーリング映像信号が生成される。
【００４３】
つまり、１次微分信号が正極性になっている期間では、本来の出力位置よりも時間的に後になる入力映像信号の位置から画素を生成し、その生成された画素を本来の出力位置から出力させるようにしている。
【００４４】
一方、１次微分信号が負極性になっている期間では、加算回路３６ｅから出力される水平画素位置信号は、そのサンプリング間隔が本来のサンプリング間隔である０．７５よりも一部狭くなるように補正されている。
【００４５】
このため、図８（ｃ）に示すように、水平画素位置が１１，１１．５，１１．７５，１２．７５，１３．７５，１４．７５の位置で、入力映像信号から画素をそれぞれ生成し、生成された各画素を本来の出力位置である１１．２５，１２，１２．７５，１３．５，１４．２５，１５［図８（ｃ）の１５，１６，１７，１８，１９，２０］の位置に出力したスケーリング映像信号が生成される。
【００４６】
つまり、１次微分信号が負極性になっている期間では、本来の出力位置よりも時間的に前になる入力映像信号の位置から画素を生成し、その生成された画素を本来の出力位置から出力させるようにしている。
【００４７】
以上のように、水平画素位置信号に対して補正を行なうことにより、スケーリング演算処理回路３６ｂから出力されるスケーリング映像信号は、図８（ｃ）に示すように、図７（ｂ）に示すものに比して、そのレベル変化点での傾斜を急峻にすることができ、表示映像の鮮鋭度を高めることが可能となる。
【００４８】
また、このことにより、入力映像信号の低レベルが黒レベルであるとすると、図８（ｃ）に示すスケーリング映像信号の黒レベル期間は、図７（ｂ）に示すスケーリング映像信号の黒レベル期間よりも長くなるため、黒が太くくっきりとした映像表示を行なうことが可能となる。
【００４９】
図９は、上記した水平スケーリング部３６の動作をまとめたフローチャートを示している。すなわち、処理が開始（ステップＳ１）されると、ステップＳ２で、１次微分回路３６ｃにより、入力映像信号の水平成分に対して１次微分処理が施され、ステップＳ３で、レベル調整回路３６ｄにより、１次微分信号の各画素位置における変調レベルがそれぞれ調整される。
【００５０】
一方、処理が開始（ステップＳ１）されると、ステップＳ４で、スケーリング画素位置発生回路３６ｇにより、制御端子３６ｆに供給されたスケーリング係数に基づいて水平画素位置信号が生成され出力される。そして、ステップＳ５で、加算回路３６ｅにより、水平画素位置信号が、レベル調整回路３６ｄからの出力によって補正される。
【００５１】
その後、ステップＳ６で、スケーリング演算制御回路３６ｈ及びスケーリング演算処理回路３６ｂにより、先に補正された水平画素位置信号に基づいてスケーリング演算処理が行なわれ、処理が終了（ステップＳ７）される。
【００５２】
図１０は、前記した垂直スケーリング部３７の詳細を示している。すなわち、入力端子３７ａに供給された映像信号は、スケーリング演算処理回路３７ｂ及び１次微分回路３７ｃにそれぞれ供給される。
【００５３】
このうち、１次微分回路３７ｃは、入力された映像信号の垂直成分に対して、１次微分処理を施している。これにより、１次微分回路３７ｃからは、映像信号の垂直成分にレベル変化があった場合に、その変化点と変化の方向とを示す１次微分信号が発生される。
【００５４】
そして、この１次微分回路３７ｃから出力された１次微分信号は、レベル調整回路３７ｄに供給されて各画素位置における変調レベルがそれぞれ調整された後、加算回路３７ｅに出力される。
【００５５】
一方、前記制御部２９から出力されるスケーリング係数は、制御端子３７ｆに供給される。このスケーリング係数は、映像信号を圧縮または伸張する比率を示しており、スケーリング画素位置発生回路３７ｇに供給される。
【００５６】
このスケーリング画素位置発生回路３７ｇは、入力されたスケーリング係数に基づいて垂直方向の出力画素位置を算出し、その出力画素位置を示す垂直画素位置信号を生成して上記加算回路３７ｅに出力している。
【００５７】
そして、この加算回路３７ｅにより、スケーリング画素位置発生回路３７ｇからの垂直画素位置信号に、レベル調整回路３７ｄからの１次微分信号の各画素位置における変調レベルがそれぞれ調整された信号が加算されることにより、補正された垂直画素位置信号が生成されて、スケーリング演算制御回路３７ｈに供給される。
【００５８】
このスケーリング演算制御回路３７ｈは、補正された垂直画素位置信号に基づいてスケーリング演算制御信号を生成し、スケーリング演算処理回路３７ｂに出力している。そして、このスケーリング演算処理回路３７ｂが、入力された映像信号に対して、補正された垂直画素位置信号に基づいてスケーリング演算処理を施すことにより、垂直成分に対してスケーリング処理が施された映像信号が生成され、出力端子３７ｉから取り出される。
【００５９】
なお、この垂直スケーリング部３７の動作については、スケーリングの方向が垂直方向になるだけで、先に図７乃至図９を参照して説明した水平スケーリング部３６の動作とほぼ同様であるため、その具体的な動作説明は省略する。
【００６０】
上記のような水平スケーリング部３６及び垂直スケーリング部３７でそれぞれ水平及び垂直方向にスケーリング処理の施された各映像信号が合成されることにより、前記映像表示器１４に表示される映像を、図１１（ａ）に示す状態から、同図（ｂ）に示すように、黒が太くくっきりとした表示にすることができる。
【００６１】
図１２は、上記した水平スケーリング部３６の他の例を示している。図１２において、図６と同一部分に同一符号を付して説明すると、１次微分回路３６ｃから出力された１次微分信号は、他の１次微分回路３６ｊに供給されてさらに１次微分されることにより、２次微分信号が生成される。
【００６２】
そして、この１次微分回路３６ｊから出力された２次微分信号は、レベル調整回路３６ｋに供給されてレベルが調整されることにより、ゲイン補正信号となってスケーリング演算制御回路３６ｈに供給される。
【００６３】
この場合、スケーリング演算制御回路３６ｈは、加算回路３６ｅからの補正された水平画素位置信号と、レベル調整回路３６ｋからのゲイン補正信号とに基づいて、スケーリング演算制御信号を生成し、スケーリング演算処理回路３６ｂに出力している。
【００６４】
図１３は、図１２に示した水平スケーリング部３６の動作を示している。図１３において、（ａ）は１次微分回路３６ｊから出力される２次微分信号を示し、（ｂ）は入力端子３６ａに供給される映像信号を示し、（ｃ）はスケーリング演算処理回路３６ｂから出力されるスケーリング映像信号を示し、スケーリング係数は３／４（＝０．７５）となっている。
【００６５】
すなわち、前述した補正された水平画素位置信号による出力画素の補正に加えて、２次微分信号に基づくゲイン補正信号により、スケーリング映像信号のレベル変化点におけるゲインが制御されることにより、図１３（ｃ）に示すように、レベル変化点におけるエッジをより強調することができ、表示映像の鮮鋭度を一層高めることが可能となる。
【００６６】
なお、ＣＲＴで使用される走査速度変調手段では、電子ビームの偏向速度が遅くなったところで明るく、早くなったところで暗くなることが、鮮鋭度を高める1つの要素となっているが、上記ゲイン補正信号によりスケーリング映像信号のレベル変化点におけるエッジを強調することによって、同様の効果を得ている。
【００６７】
図１４は、図１２に示した水平スケーリング部３６の動作をまとめたフローチャートを示している。すなわち、処理が開始（ステップＳ８）されると、ステップＳ９で、１次微分回路３６ｃにより、入力映像信号の水平成分に対して１次微分処理が施され、ステップＳ１０で、レベル調整回路３６ｄにより、１次微分信号の各画素位置における変調レベルがそれぞれ調整される。
【００６８】
一方、処理が開始（ステップＳ８）されると、ステップＳ１１で、スケーリング画素位置発生回路３６ｇにより、制御端子３６ｆに供給されたスケーリング係数に基づいて水平画素位置信号が生成され出力される。そして、ステップＳ１２で、加算回路３６ｅにより、水平画素位置信号が、レベル調整回路３６ｄからの出力によって補正される。
【００６９】
また、上記ステップＳ９の後、ステップＳ１３で、１次微分回路３６ｊにより、１次微分信号にさらに１次微分処理が施されて２次微分信号が生成される。そして、ステップＳ１４で、レベル調整回路３６ｋにより、２次微分信号のレベルが調整されゲイン補正信号が生成される。
【００７０】
その後、ステップＳ１５で、スケーリング演算制御回路３６ｈ及びスケーリング演算処理回路３６ｂにより、先に補正された水平画素位置信号とゲイン補正信号とに基づいてスケーリング演算処理が行なわれ、処理が終了（ステップＳ１６）される。
【００７１】
なお、図１２に示した水平スケーリング部３６において、そのレベル調整回路３６ｄ，３６ｋにおけるレベル調整は、ユーザが行なえるようにすることができる。この場合、ユーザが操作部３０またはリモートコントローラ３１を操作してレベル調整を要求すると、制御部２９は、ＯＳＤ（On Screen Display）機能を用いて、図１５に示すようなレベル調整画面を映像表示器１４に表示させる。
【００７２】
このレベル調整画面は、レベル調整回路３６ｄのレベル調整項目として「調整１」を表示し、レベル調整回路３６ｋのレベル調整項目として「調整２」を表示しており、ユーザが画面上で「調整１」及び「調整２」のいずれかを選択して、レベル調整を行なうことができる。
【００７３】
図１６は、図１０に示した垂直スケーリング部３７の他の例を示している。図１６において、図１０と同一部分に同一符号を付して説明すると、１次微分回路３７ｃから出力された１次微分信号は、他の１次微分回路３７ｊに供給されてさらに１次微分されることにより、２次微分信号が生成される。
【００７４】
そして、この１次微分回路３７ｊから出力された２次微分信号は、レベル調整回路３７ｋに供給されてレベルが調整されることにより、ゲイン補正信号となってスケーリング演算制御回路３７ｈに供給される。
【００７５】
この場合、スケーリング演算制御回路３７ｈは、加算回路３７ｅからの補正された水平画素位置信号と、レベル調整回路３７ｋからのゲイン補正信号とに基づいて、スケーリング演算制御信号を生成し、スケーリング演算処理回路３７ｂに出力している。
【００７６】
なお、この垂直スケーリング部３７の動作についても、スケーリングの方向が垂直方向になるだけで、先に図１３及び図１４を参照して説明した水平スケーリング部３６の動作とほぼ同様であるため、その具体的な動作説明は省略する。
【００７７】
また、この図１６に示した垂直スケーリング部３７においても、そのレベル調整回路３７ｄ，３７ｋにおけるレベル調整をユーザが行なえるようにすることができることはもちろんである。
【００７８】
ここで、上記した実施の形態では、テレビジョン受信装置１１について説明したが、これに限らず、例えばＳＴＢ（Set Top Box）やＰＤＡ（Personal Digital Assistants）にも使用することが可能である。
【００７９】
図１７は、ＳＴＢ４１を示している。図３と同一部分に同一符号を付して説明すると、映像処理部２７で生成された映像信号を出力端子４２を介して外部に取り出せるようにしている。この場合、出力端子４２を介して取り出された映像信号は、ドライバ４３及び映像表示器４４を備えたフラットパネルディスプレイ４５によって映像表示される。
【００８０】
図１８は、ＰＤＡ４６を示している。図３と同一部分に同一符号を付して説明すると、アンテナ１８、入力端子１９、チューナ部２０、周波数変換部２１、デジタル信号処理部２２、セレクタ２３及び受信部１６等の搭載されない携帯用情報端末となっている。
【００８１】
これらＳＴＢ４１やＰＤＡ４６のスケーリング部２６にも、図５に示した構成のスケーリング部２６を適用することが可能である。この場合、水平スケーリング部３６には、図６及び図１２に示した構成のものが適用可能であり、垂直スケーリング部３７には、図１０及び図１６に示した構成のものが適用可能である。
【００８２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８３】
【図１】この発明の実施の形態を示すもので、テレビジョン受信装置の外観を説明するために示す正面図。
【図２】同実施の形態におけるテレビジョン受信装置の外観を説明するために示す側面図。
【図３】同実施の形態におけるテレビジョン受信装置の信号処理系を説明するために示すブロック構成図。
【図４】同実施の形態におけるテレビジョン受信装置の外観を説明するために示す背面図。
【図５】同実施の形態におけるテレビジョン受信装置のスケーリング部を説明するために示すブロック構成図。
【図６】同実施の形態におけるスケーリング部の水平スケーリング部を説明するために示すブロック構成図。
【図７】同実施の形態における水平スケーリング部の補正されない水平画素位置信号を用いたスケーリング処理動作を説明するために示す図。
【図８】同実施の形態における水平スケーリング部の補正された水平画素位置信号を用いたスケーリング処理動作を説明するために示す図。
【図９】同実施の形態における水平スケーリング部の主要なスケーリング処理動作を説明するために示すフローチャート。
【図１０】同実施の形態におけるスケーリング部の垂直スケーリング部を説明するために示すブロック構成図。
【図１１】同実施の形態におけるスケーリング部によりスケーリング処理された映像信号の表示状態を説明するために示す図。
【図１２】同実施の形態における水平スケーリング部の他の例を説明するために示すブロック構成図。
【図１３】同実施の形態における水平スケーリング部の他の例のスケーリング処理動作を説明するために示す図。
【図１４】同実施の形態における水平スケーリング部の他の例の主要なスケーリング処理動作を説明するために示すフローチャート。
【図１５】同実施の形態における水平スケーリング部の他の例のレベル調整画面の一例を説明するために示す図。
【図１６】同実施の形態における垂直スケーリング部の他の例を説明するために示すブロック構成図。
【図１７】この発明が適用されたＳＴＢの一例を説明するために示すブロック構成図。
【図１８】この発明が適用されたＰＤＡの一例を説明するために示すブロック構成図。
【符号の説明】
【００８４】
１１…テレビジョン受信装置、１２…キャビネット、１３…支持台、１４…映像表示器、１５…電源スイッチ、１６…受信部、１７…基台、１８…アンテナ、１９…入力端子、２０…チューナ部、２１…周波数変換部、２２…デジタル信号処理部、２３…セレクタ、２４…入力端子、２５…Ａ／Ｄ変換部、２６…スケーリング部、２７…映像処理部、２８…ドライバ、２９…制御部、３０…操作部、３１…リモートコントローラ、３２…メモリ部、３３…電源部、３４…ブロック部、３５…入力端子、３６…水平スケーリング部、３７…垂直スケーリング部、３８…制御端子、４０…出力端子、４１…ＳＴＢ、４２…出力端子、４３…ドライバ、４４…映像表示器、４５…フラットパネルディスプレイ、４６…ＰＤＡ。
【図１】
2006019963.tif 000003
【図２】
2006019963.tif 000004
【図３】
2006019963.tif 000005
【図４】
2006019963.tif 000006
【図５】
2006019963.tif 000007
【図６】
2006019963.tif 000008
【図７】
2006019963.tif 000009
【図８】
2006019963.tif 000010
【図９】
2006019963.tif 000011
【図１０】
2006019963.tif 000012
【図１１】
2006019963.tif 000013
【図１２】
2006019963.tif 000014
【図１３】
2006019963.tif 000015
【図１４】
2006019963.tif 000016
【図１５】
2006019963.tif 000017
【図１６】
2006019963.tif 000018
【図１７】
2006019963.tif 000019
【図１８】
2006019963.tif 000020